(57)【要約】 【課題】本考案は、足に装着しても歩行運動の妨げとならず、歩行運動により生ずる空気流を利用して一定量の殺虫薬剤を揮散させ、安定した虫除け効果を維持できる飛翔害虫忌避用具を提供することを目的とする。【解決手段】吹き込み孔５ａと排気孔５ｂと空洞部５ｃとを有する中空の筐体５からなり、靴に取り付けて使用することにより前記吹き込み孔５ａから前記排気孔５ｂへ空気流が排出される飛翔害虫忌避用具８であって、前記空気流により回転する風車１が前記空洞部５ｃ内に配置され、前記風車１が飛翔害虫忌避成分を含有させた紙、不織布もしくは樹脂のいずれか１つの材料からなることを特徴とする飛翔害虫忌避用具８により、上記課題を解決できる。【選択図】図１
0003140154.tif 000002
【実用新案登録請求の範囲】
【請求項１】
吹き込み孔と排気孔と空洞部とを有する中空の筐体からなり、靴に取り付けて使用することにより前記吹き込み孔から前記排気孔へ空気流が排出される飛翔害虫忌避用具であって、
前記空気流により回転する風車が前記空洞部内に配置され、前記風車が飛翔害虫忌避成分を含有させた紙、不織布もしくは樹脂のいずれか１つの材料からなることを特徴とする飛翔害虫忌避用具。
【請求項２】
吹き込み孔と排気孔と空洞部とを有する中空の筐体からなり、靴に取り付けて使用することにより前記吹き込み孔から前記排気孔へ空気流が排出される飛翔害虫忌避用具であって、
前記空洞部の壁面に飛翔害虫忌避成分が塗布されていることを特徴とする飛翔害虫忌避用具。
【請求項３】
吹き込み孔と排気孔と空洞部とを有する中空の筐体からなり、靴に取り付けて使用することにより前記吹き込み孔から前記排気孔へ空気流が排出される飛翔害虫忌避用具であって、
前記吹き込み孔と前記排気孔とにメッシュが備えられており、前記メッシュに飛翔害虫忌避成分が塗布されてなることを特徴とする飛翔害虫忌避用具。
【請求項４】
前記吹き込み孔の径が前記排気孔の径より大きいことを特徴とする請求項１〜３のいずれか１項に記載の飛翔害虫忌避用具。
【請求項５】
前記吹き込み孔と前記排気孔とにそれぞれメッシュが備えられていることを特徴とする請求項１、２、４のいずれか１項に記載の飛翔害虫忌避用具。
【請求項６】
前記風車が２つ以上備えられていることを特徴とする請求項１に記載の飛翔害虫忌避用具。
【請求項７】
前記風車を支持する支持軸が前記空洞部内に配置され、前記支持軸が飛翔害虫忌避成分を内在していることを特徴とする請求項１に記載の飛翔害虫忌避用具。
【請求項８】
前記筐体が板状の台座に取り付けられており、前記台座の一端側と他端側にそれぞれシューレース通過孔が設けられており、前記台座の前記シューレース通過孔に靴のシューレースが通されることにより前記筐体が靴に取り付けられることを特徴とする請求項１〜７のいずれか１項に記載の飛翔害虫忌避用具。
【請求項９】
前記筐体が棒状の台座に取り付けられており、前記台座が靴のシューレースに挟み込まれることにより前記筐体が靴に取り付けられることを特徴とする請求項１〜８のいずれか１項に記載の飛翔害虫忌避用具。
【請求項１０】
前記筐体がワイヤ状の台座に取り付けられており、前記台座が靴のシューレースに巻きつけられることにより前記筐体が靴に取り付けられることを特徴とする請求項１〜８のいずれか１項に記載の飛翔害虫忌避用具。
【請求項１１】
前記飛翔害虫忌避成分が常温揮散性成分を含むことを特徴とする請求項１〜１０のいずれか１項に記載の飛翔害虫忌避用具。
【請求項１２】
前記常温揮散性成分が殺虫剤、植物精油もしくは香料のいずれかの成分を含むことを特徴とする請求項１１に記載の飛翔害虫忌避用具。
【請求項１３】
前記殺虫剤が、メトフルトリン、トランスフルスリンもしくはエンペンスリンのいずれかの化合物を含むことを特徴とする請求項１２に記載の飛翔害虫忌避用具。
【考案の詳細な説明】
【技術分野】
【０００１】
本考案は、飛翔害虫忌避用具に関する。特に、屋外における散策活動や、森林等でのハイキングや登山活動時において、携帯性に優れた飛翔害虫忌避用具に関する。
【背景技術】
【０００２】
害虫忌避用具に関する考案として、特許文献１には、エムペントリン等の液体防虫剤の紫外線分解を防止する防虫剤揮散体が開示されている。また、特許文献２には、揮発性薬剤を含侵させたハニカムシートから徐々に薬剤を揮散させる虫除けチューブが開示されている。さらにまた、特許文献３には、インテリア兼用型の薬剤揮散体容器が開示されている。しかし、これらは、質量、大きさなどの点で携帯用の害虫忌避用具としては好ましくない。
【０００３】
従来の携帯用の害虫忌避用具では、殺虫薬剤を含侵させた担体を、腕もしくは身体の一部に適当な固定具を用いて装着し、電池駆動式もしくは無動力式のファンを用いて前記担体に風を当てて、出来るだけ多くの殺虫薬剤を大気中へ揮散させることにより、虫除けを行っている。
【０００４】
電源式もしくは電池駆動式ファンを用いる害虫忌避用具については、たとえば、特許文献４には、揮発性薬剤の拡散を効率的に行う扇風機が開示されている。また、特許文献５には、シロッコファンで除虫剤を揮散させる電動送風式除虫器が開示されている。さらにまた、特許文献６には、殺虫用薬液をワンタッチで取替えできる電気蚊取器付扇風機が開示されている。特許文献７には、殺虫成分を衛生的かつ効果的に強制拡散させる蚊取り器用拡散器が開示されており、特許文献８には、厨房で噴霧状の殺虫液含有空気を拡散させる、開閉できる窓を備えた害虫駆除装置が開示されている。このような電源式もしくは電池駆動式ファンを用いた場合には、殺虫薬剤の揮散量を常に安定して確保することができる。
【０００５】
しかし、このような電源式もしくは電池駆動式ファンを用いた害虫忌避用具を足に装着した場合には、電源部もしくは電池駆動部が大きいので、歩行などの運動に支障が発生する場合があるとともに、屋外活動で使用した場合には電源部もしくは電池駆動部が雨などに濡れて機械故障が発生する場合がある。
【０００６】
また、無動力式ファンを用いた場合には、殺虫薬剤の揮散量を常に安定して確保することができるとは考え難く、安定した虫除け効果を期待することはできない。
【特許文献１】実開平５−８９４０１号公報
【特許文献２】特開２００７−２９０１６号公報
【特許文献３】実用新案登録第３０３１７１４号公報
【特許文献４】実用新案登録第３１０９６１０号公報
【特許文献５】実開平４−８２９６９号公報
【特許文献６】実公平７−２１９１５号公報
【特許文献７】実開平５−５３４７９号公報
【特許文献８】実用新案登録第３０２７９２８号公報
【考案の開示】
【考案が解決しようとする課題】
【０００７】
本考案は、上記事情を鑑みてなされたもので、足に装着しても歩行運動の妨げとならず、歩行運動により生ずる空気流を利用して一定量の殺虫薬剤を揮散させ、安定した虫除け効果を維持できる飛翔害虫忌避用具を提供することを目的とする。
【課題を解決するための手段】
【０００８】
上記の目的を達成するために、本考案は以下の構成を採用した。すなわち、
本考案の飛翔害虫忌避用具は、吹き込み孔と排気孔と空洞部とを有する中空の筐体からなり、靴に取り付けて使用することにより前記吹き込み孔から前記排気孔へ空気流が排出される飛翔害虫忌避用具であって、前記空気流により回転する風車が前記空洞部内に配置され、前記風車が飛翔害虫忌避成分を含有させた紙、不織布もしくは樹脂のいずれか１つの材料からなることを特徴とする。
【０００９】
本考案の飛翔害虫忌避用具は、吹き込み孔と排気孔と空洞部とを有する中空の筐体からなり、靴に取り付けて使用することにより前記吹き込み孔から前記排気孔へ空気流が排出される飛翔害虫忌避用具であって、前記空洞部の壁面に飛翔害虫忌避成分が塗布されていることを特徴とする。
【００１０】
本考案の飛翔害虫忌避用具は、吹き込み孔と排気孔と空洞部とを有する中空の筐体からなり、靴に取り付けて使用することにより前記吹き込み孔から前記排気孔へ空気流が排出される飛翔害虫忌避用具であって、前記吹き込み孔と前記排気孔とにメッシュが備えられており、前記メッシュに飛翔害虫忌避成分が塗布されてなることを特徴とする。
【００１１】
本考案の飛翔害虫忌避用具は、前記吹き込み孔の径が前記排気孔の径より大きいことを特徴とする。
【００１２】
本考案の飛翔害虫忌避用具は、前記吹き込み孔と前記排気孔とにそれぞれメッシュが備えられていることを特徴とする。
【００１３】
本考案の飛翔害虫忌避用具は、前記風車が２つ以上備えられていることを特徴とする。
【００１４】
本考案の飛翔害虫忌避用具は、前記風車を支持する支持軸が前記空洞部内に配置され、前記支持軸が飛翔害虫忌避成分を内在していることを特徴とする。
【００１５】
本考案の飛翔害虫忌避用具は、前記筐体が板状の台座に取り付けられており、前記台座の一端側と他端側にそれぞれシューレース通過孔が設けられており、前記台座の前記シューレース通過孔に靴のシューレースが通されることにより前記筐体が靴に取り付けられることを特徴とする。
【００１６】
本考案の飛翔害虫忌避用具は、前記筐体が棒状の台座に取り付けられており、前記台座が靴のシューレースに挟み込まれることにより前記筐体が靴に取り付けられることを特徴とする請求項１〜８のいずれか１項に記載の飛翔害虫忌避用具。
【００１７】
本考案の飛翔害虫忌避用具は、前記筐体がワイヤ状の台座に取り付けられており、前記台座が靴のシューレースに巻きつけられることにより前記筐体が靴に取り付けられることを特徴とする。
【００１８】
本考案の飛翔害虫忌避用具は、前記飛翔害虫忌避成分が常温揮散性成分を含むことを特徴とする。
【００１９】
本考案の飛翔害虫忌避用具は、前記常温揮散性成分が殺虫剤、植物精油もしくは香料のいずれかの成分を含むことを特徴とする。
【００２０】
本考案の飛翔害虫忌避用具は、前記殺虫剤が、メトフルトリン、トランスフルスリンもしくはエンペンスリンのいずれかの化合物を含むことを特徴とする。
【考案の効果】
【００２１】
本考案によれば、足に装着しても歩行運動の妨げとならず、歩行運動により生ずる空気流を利用して一定量の殺虫薬剤を揮散させ、安定した虫除け効果を維持できる飛翔害虫忌避用具を提供することができる。
【考案を実施するための最良の形態】
【００２２】
以下、本考案を実施するための形態を説明する。
（実施形態１）
図１は、本考案の実施形態である飛翔害虫忌避用具の一例を示す透明斜視図である。
図１に示すように、本考案の飛翔害虫忌避用具８は、吹き込み孔５ａと排気孔５ｂと空洞部５ｃとを有する中空の筐体５の空洞部５ｃ内に風車１が配置されて概略構成されている。
吹き込み孔５ａの径は排気孔５ｂの径より大きく形成されている。そのため、空気流を効率的に吹き込み孔５ａから取り込むことができ、また、取り込んだ空気流を径の小さい排気孔５ｂから排出させることで空気流の勢いを増して排出させることができるので、より広範囲に空気流を噴出させることができる。
【００２３】
空洞部５ｃ内には、４枚の回転翼１ａがリング体１２に取り付けられて風車１が形成されている。リング体１２は支持軸２に通されて回転自在とされるとともに、突起部２ｄにより支持軸２上の位置がずれないようにされている。そのため、吹き込み孔５ａから取り込まれた空気流が各回転翼１ａに衝突すると、風車１は個々に回転することができる。
支持軸２は、金属または樹脂製からなり、吹き込み孔５ａから排気孔５ｂへ向けて配置されている。支持軸２の一端２ａと他端２ｂはそれぞれ、２本の支持棒３ａが十字型に配置され形成された支持軸受け支持体３の軸受け部３ｃに取り付けられている。軸受け部３ｃは、吹き込み孔５ａおよび排気孔５ｂで中央部側となるように取り付けられており、支持軸２が中空部５ｃの中心軸となるように配置されている。そのため、吹き込み孔５ａから取り込まれた空気流により、風車１は、動きを妨げられることなく、容易に回転することができる構成とされている。
なお、各回転翼１ａが支持軸２に直に取り付けられて、風車１が支持軸回りに回転自在とされてもよい。このような構成であっても、風車１を勢いよく回転させることができる。
【００２４】
風車１が回転すると、回転しない場合よりも多くの空気流が取り込まれ、排出させる空気流の量も多くすることができる。また、空気流の勢いをさらに増して排出させることができるので、空気流をより広範囲に噴出させることができる。
風車１は２つ以上備えられていることが好ましい。風車１を２つ備えることで、空気流の取り込み量をさらに増すことができるとともに、排気する空気流の勢いをさらに増して、より広範囲に空気流を噴出させることができる。
風車１の回転翼１ａの形状、大きさおよび枚数は、空気流をより多く取り込むことができ、勢いよく回転して、排出させる空気流の勢いを増すことができる形状、大きさおよび枚数であればよく、特に限定されない。
【００２５】
風車１の回転翼１ａは、飛翔害虫忌避成分を含有させた紙、不織布もしくは樹脂のいずれかからなることが好ましい。このような回転翼１ａを備えた風車１を用いることにより、吹き込み孔５ａから取り込んだ空気流に、飛翔害虫忌避成分を含有させて排出させることができる。
また、風車１の回転翼１ａが、紙、不織布もしくは樹脂のいずれかの材料からなれば、容易に一定量の飛翔害虫忌避成分を含有させることができる。また、一定の材料強度を有するとともに、雨濡れに対しても一定の耐性も有するので、雨濡れなどで容易に壊れないようにすることができる。さらに、１回の空気流の衝突が奪い取る飛翔害虫忌避成分をわずかにして、長期間に亘って一定量の飛翔害虫忌避成分を安定して排出させるようにすることができる。
具体的には、風車１の回転翼１ａの材料として用いる樹脂としては、ＰＰ（ｐｏｌｙｐｒｏｐｙｌｅｎｅ）、ＰＥ（Ｐｏｌｙｅｔｈｙｌｅｎｅ）などを挙げることができる。また、風車１の材料として用いる紙としては、ダンボールなどを挙げることができる。
【００２６】
風車１の回転翼１ａは、たとえば、あらかじめ飛翔害虫忌避成分を含有させた溶液に浸漬させた板状のＰＰ樹脂を回転翼形状に賦形して、風車１の回転翼１ａを作製してもよい。また、逆に、ＰＰ樹脂などを回転翼形状に賦形したした後、飛翔害虫忌避成分を含有させた溶液に浸漬して、風車１の回転翼１ａを作製してもよい。
なお、支持軸２に飛翔害虫忌避成分を塗布して、吹き込み孔５ａから取り込まれる空気流または排気孔５ｂから排出される空気流に飛翔害虫忌避成分を含有させるようにしてもよい。
さらに、回転翼形状に賦形したＰＰ樹脂などを接合したリング体１２を支持軸２に通して作製した風車１を、飛翔害虫忌避成分を含有させた溶液に浸漬させることにより、回転翼１ａおよび支持軸２に飛翔害虫忌避成分を内在させてもよい。
このようにすることにより、排気孔５ｂから排出される空気流により多くの飛翔害虫忌避成分を含有させることができる。
【００２７】
このようにして、飛翔害虫忌避成分を含んだ空気流が人間の身体に噴霧されることにより、その人間の皮膚または衣類に飛翔害虫忌避成分が付着するとともに、その人間の周囲に飛翔害虫忌避成分を含有した空気層が形成される。すなわち、人間の体を取り囲むように飛翔害虫忌避成分を含むバリア雰囲気が形成される。そのため、飛翔害虫はその人間に近づかないようになり、人間は飛翔害虫を忌避することができる。
【００２８】
飛翔害虫忌避成分は、常温揮散性成分を含むことが好ましい。常温揮散性成分とは、常温（２５℃前後）で容易に揮散する成分のことであり、この成分を含むことにより弾性体２から排出される空気流に容易に飛翔害虫忌避成分を含有させることができるためである。
なお、必要に応じて、揮発製剤を配合することが好ましい。揮発製剤を配合することによって、揮発性をさらに高めることができ、人間の体を取り囲むように飛翔害虫忌避成分を含むバリア雰囲気をより効率的に形成することができる。
【００２９】
常温揮散性成分は、殺虫剤、植物精油もしくは香料のいずれかの成分を含むことが好ましい。
殺虫剤、植物精油もしくは香料のいずれかの成分は、飛翔害虫に対して効き目があるとともに、常温揮散性があるので、人間の体を取り囲むように飛翔害虫忌避成分を含むバリア雰囲気を形成して、飛翔害虫を効率的に忌避することができるためである。
【００３０】
殺虫剤は、メトフルトリン、トランスフルスリンもしくはエンペンスリンのいずれかの化合物を含むことが好ましい。
メトフルトリン、トランスフルスリンもしくはエンペンスリンのいずれかの化合物を含む殺虫剤は、飛翔害虫に対して効き目があるとともに、常温揮散性があるので、人間の体を取り囲むように飛翔害虫忌避成分を含むバリア雰囲気を形成して、飛翔害虫を効率的に忌避することができるためである。
【００３１】
吹き込み孔５ａと排気孔５ｂとにはそれぞれ、メッシュ４が備えられている。メッシュ４が備えられることにより、子供がメッシュ４を開けて空洞部５ｃに配置された風車１に誤って触れることのないようにすることができる。また、メッシュ４は、土や泥などの流入をある程度防ぐことができ、空洞部５ｃに風のみを取り込むようにすることができる。そのため、土や泥などが流入して、風車１の動きを止めるおそれを無くすことができる。
また、メッシュ４に飛翔害虫忌避成分を塗布して、吹き込み孔５ａから取り込まれる空気流または排気孔５ｂから排出される空気流に、さらに飛翔害虫忌避成分を含有させるようにしてもよい。このようにすることにより、排気孔５ｂから排出される空気流により多くの飛翔害虫忌避成分を含有させて、飛翔害虫忌避効果をさらに高めることができる。
【００３２】
筐体５は、樹脂、ガラスあるいは金属から選ばれる材料で形成されることが好ましい。
このような材料を用いることにより、筐体５は一定の材料強度を確保することができ、筐体５の破損や変形を防ぐことができるとともに、屋外活動で使用して多少雨に濡れたとしても、風車１に塗布された飛翔害虫忌避成分が筐体５から漏出されることを防ぐことができる。
筐体５の大きさおよび形状は、一般的な靴の大きさに準じて決定すればよく、また、屋外活動の妨げにならない形状であれば、特に限定されない。
【００３３】
本実施形態の筐体５は、細長い平板状の台座６に取り付けられており、台座６の一端側６ａと他端側６ｂにはそれぞれシューレース通過孔７が設けられている。シューレース通過孔７に靴のシューレースを通過させることにより、台座６を靴に取り付けて靴に筐体５を固定することができる構成とされている。シューレース通過孔７にシューレースが通過されて台座６が靴に取り付けられるので、歩行運動によって飛翔害虫忌避用具８が靴から取り外れることはない。
台座６の大きさおよび形状は筐体５と靴の大きさを考慮して適切に設定すればよく、特に限定されるものではない。
【００３４】
図２は、本考案の実施形態である飛翔害虫忌避用具の使用形態の一例を示す斜視概略図である。
この実施形態では、飛翔害虫忌避用具８の台座６の一端側６ａを靴９のつま先９ａ方向、他端側６ｂを踵９ｂ方向に向けて靴９の靴紐部１１に配置して、シューレース通過孔７に靴紐（シューレース）１０を通すことにより、飛翔害虫忌避用具８を靴９に固定している。
【００３５】
靴９に取り付けて歩行することにより吹き込み孔５ａから排気孔５ｂへ空気流が排出され、空洞部５ｃ内に配置された風車１（図示略）が前記空気流により回転できる構成とされている。また、風車１が飛翔害虫忌避成分を含有させた紙、不織布もしくは樹脂のいずれか１つの材料からなるので、排気孔５ｂから排出された空気流に飛翔害虫忌避成分を含有させることができる構成とされている。
【００３６】
歩行運動で足が前後及び上下に動くときには、足の周囲に必ず空気流を生じさせる。飛翔害虫忌避用具８を靴９に配置すれば、この空気流を、吹き込み孔５ａから効率的に取り込むことができる。取り込まれた空気流は、空洞部５ｃ内で、２つの風車１の回転翼１ａへ衝突することにより、それぞれの風車１を回転させた後、排気孔５ｂから筐体５の外へ排出される。排出された空気流は、飛翔害虫忌避成分を含有しており、まず、足元から人間の下半身を取り囲んだ後、上半身を取り囲むように流れる。その結果、人間の身体全体を包むように、飛翔害虫忌避成分からなるバリア雰囲気が形成される。
【００３７】
本考案者らは、飛翔害虫忌避用具８に関する一連の研究により、屋外で人間が活動する場合には、立っている人間の上半身よりも下半身に飛翔害虫がよく集まることを発見した。そのため、下半身を中心として人間の身体全体を覆うように飛翔害虫忌避成分からなるバリア雰囲気を形成する本考案の技術は、飛翔害虫を有効に忌避することができる。
【００３８】
（実施形態２）
図３は、本考案の実施形態である飛翔害虫忌避用具の別の一例を示す透明斜視図である。
本考案の実施形態である飛翔害虫忌避用具８１は、風車１が一つ備えられているほかは、実施形態１と同様の構成とされている。
このような構成でも、実施形態１と同様に、下半身を中心として人間の身体全体を覆うように飛翔害虫忌避成分からなるバリア雰囲気を形成して、飛翔害虫を有効に忌避することができる。
【００３９】
（実施形態３）
図４は、本考案の実施形態である飛翔害虫忌避用具のさらに別の一例を示す透明斜視図である。
本考案の実施形態である飛翔害虫忌避用具８２は、風車１および支持軸２が備えられておらず、メッシュ４に飛翔害虫忌避成分が塗布されたほかは、実施形態１と同様の構成とされている。
このような構成でも、吸い込み孔５ａから空気流を取り込む際に、メッシュ４に塗布された飛翔害虫忌避成分を空気流に含有させた後、排気孔５ｂから排出させることができるので、実施形態１、２と同様に、下半身を中心として人間の身体全体を覆うように飛翔害虫忌避成分からなるバリア雰囲気を形成して、飛翔害虫を有効に忌避することができる。
【００４０】
（実施形態４）
図５は、本考案の実施形態である飛翔害虫忌避用具のさらに別の一例を示す透明斜視図である。
本考案の実施形態である飛翔害虫忌避用具８３は、風車１、支持軸２およびメッシュ４が備えられておらず、空洞部５ｃの壁面に飛翔害虫忌避成分が塗布されたほかは、実施形態１と同様の構成とされている。
このような構成でも、吸い込み孔５ａから取り込んだ空気流に、飛翔害虫忌避成分を含有させた後、排気孔５ｂから排出させることができる。そのため、実施形態１〜３と同様に、下半身を中心として人間の身体全体を覆うように飛翔害虫忌避成分からなるバリア雰囲気を形成して、飛翔害虫を有効に忌避することができる。
【００４１】
（実施形態５）
図６は、本考案の実施形態である飛翔害虫忌避用具のさらに別の一例を示す透明斜視図である。
本考案の実施形態である飛翔害虫忌避用具８４は、台座６としてシューレース通過孔７を設けない棒状部材を用いたほかは、実施形態１と同様の構成とされている。
このような構成でも、実施形態１と同様に、下半身を中心として人間の身体全体を覆うように飛翔害虫忌避成分からなるバリア雰囲気を形成して、飛翔害虫を有効に忌避することができるとともに、飛翔害虫忌避用具８４の台座６の一端６ａ、他端６ｂをそれぞれ靴紐部１１のシューレース１０の間に挟み込むことにより筐体５を靴７に容易に取り付けることができる。
【００４２】
（実施形態６）
図７は、本考案の実施形態である飛翔害虫忌避用具のさらに別の一例を示す透明斜視図である。
本考案の実施形態である飛翔害虫忌避用具８５は、台座６としてワイヤ状部材を用いたほかは、実施形態１と同様の構成とされている。
このような構成でも、実施形態１と同様に、下半身を中心として人間の身体全体を覆うように飛翔害虫忌避成分からなるバリア雰囲気を形成して、飛翔害虫を有効に忌避することができるとともに、飛翔害虫忌避用具８５の台座６の一端６ａ、他端６ｂをそれぞれ靴紐部１１のシューレース１０に巻きつけて固定することにより筐体５を靴７に容易に取り付けることができる。
【００４３】
本考案の実施形態である飛翔害虫忌避用具８、８１〜８５は、靴９に取り付けて、歩行運動の際に必ず生ずる空気流を利用する構成なので、電源式もしくは電池駆動式ファンなどを用いずに、人間の全身を覆うように飛翔害虫忌避成分からなるバリア雰囲気を自然に形成することができる。
【００４４】
本考案の実施形態である飛翔害虫忌避用具８、８１、８４、８５は、飛翔害虫忌避成分を含有させた紙、不織布もしくは樹脂のいずれかからなる風車１を有する構成なので、吹き込み孔５ａから取り込まれた空気流に、容易に飛翔害虫忌避成分を含有させて、排気孔５ｂから排出させることができ、人間の全身を覆うように飛翔害虫忌避成分からなるバリア雰囲気を容易に形成することができる。
本考案の実施形態である飛翔害虫忌避用具８、８１〜８５は、風車１、支持軸２、空洞部５ｃの壁面またはメッシュ４のいずれか一つあるいは二つ以上に、飛翔害虫忌避成分を含有させる構成なので、吹き込み孔５ａから取り込まれた空気流に、容易に飛翔害虫忌避成分を含有させて、排気孔５ｂから排出させることができ、人間の全身を覆うように飛翔害虫忌避成分からなるバリア雰囲気を容易に形成することができる。
【００４５】
本考案の実施形態である飛翔害虫忌避用具８、８１、８４、８５は、歩行運動の際に生ずる空気流を取り込んだ後、空気流により風車１を回転させる構成なので、排気孔５ｂから排出する空気流の勢いを増して人間の身体に噴霧させることができ、人間の全身を覆うように形成した飛翔害虫忌避成分からなるバリア雰囲気の効果を高めることができる。
本考案の実施形態である飛翔害虫忌避用具８、８４、８５は、複数の風車１を有する構成なので、排出させる空気流の勢いを増して、より広範囲に飛翔害虫忌避成分からなるバリア雰囲気を形成することができるとともに、より多くの飛翔害虫忌避成分を含有させることができ、人間の全身を覆うように形成した飛翔害虫忌避成分からなるバリア雰囲気の効果を高めることができる。
【００４６】
本考案の実施形態である飛翔害虫忌避用具８、８１〜８５は、吸い込み孔５ａの径が排気孔５ｂの径より大きくされた構成なので、歩行運動の際に生ずる空気流をより多く取り込むことができるとともに、空気流の勢いを増して排出することができるので、人間の全身を覆うように形成した飛翔害虫忌避成分からなるバリア雰囲気の効果を高めることができる。
本考案の実施形態である飛翔害虫忌避用具８、８１、８２、８４、８５は、吸い込み孔５ａおよび排気孔５ｂにメッシュ４を有する構成なので、子供が誤って飛翔害虫忌避成分が含有された風車１に触れることのないようにすることができる。
本考案の実施形態である飛翔害虫忌避用具８、８１〜８５は、台座６を有する構成なので、台座６を容易に靴９の靴紐１０に取り付けることができるので、屋外でも簡単に飛翔害虫忌避成分からなるバリア雰囲気を形成することができる。
【００４７】
本考案の実施形態である飛翔害虫忌避用具８、８１〜８５は、殺虫剤、植物精油もしくは香料のいずれかの常温揮散性がある飛翔害虫忌避成分が含有される構成なので、空気流に前記飛翔害虫忌避成分を容易に含有させて排出させることができるので、人間の身体を取り囲むように飛翔害虫忌避成分からなるバリア雰囲気を容易に形成することができる。
【００４８】
本考案の実施形態である飛翔害虫忌避用具８、８１〜８５は、メトフルトリン、トランスフルスリンもしくはエンペンスリンのいずれかの常温揮散性がある殺虫剤が含有される構成なので、空気流に前記飛翔害虫忌避成分を容易に含有させることができるので、人間の身体を取り囲むように飛翔害虫忌避成分からなるバリア雰囲気を容易に形成することができる。
以下、本考案を実施例に基づいて具体的に説明する。しかし、本考案はこれらの実施例にのみ限定されるものではない。
【実施例】
【００４９】
図１に示す形状の本考案の飛翔害虫忌避用具を、次のようにして製造した。
まず、厚さ２ｍｍのダンボール紙を切り抜いて、図１に示すような形状の回転翼を作製し、メトフルトリン１％エタノール溶液を５ｍｌ、この回転翼に含侵させた。
次に、この回転翼をリング体に４枚取り付けたものを２つ作製し、これらを樹脂製の支持軸に通して、２つの風車を作製した。樹脂からなるラッパ形状の筐体の空洞部にこれを挿入した後、この支持軸の一端を、筐体の吹き込み孔に取り付けた十字型の支持軸支持体に取り付けた。さらに、この支持軸の他端を別の十字型の支持軸支持体に取り付けて、排気孔に固定した。その後、この筐体の吹き込み孔および排気孔に樹脂製のメッシュを嵌め込んだ。
最後に、この筐体を、２つのシューレース通過孔を有する長さ５ｃｍ、幅３ｃｍの平板状の台座に取り付けて、本考案の飛翔害虫忌避用具とした。
【００５０】
本考案の飛翔害虫忌避用具の効果を次のようにして確認した。
図２に示すように、本考案の飛翔害虫忌避用具を両足のスニーカーに取り付けたテスター（実施例用研究員）３名と、本考案の飛翔害虫忌避用具を取り付けないテスター（比較例用研究員）３名により、夏の屋外の市街地散策及び森林公園の山道で２時間の散策を行った。実施例用研究員はいずれも手足の皮膚露出面へヤブカなどによる虫にさされることはなかった。比較例用研究員はいずれも手足の皮膚露出面へヤブカなどによる虫にさされた。
【産業上の利用可能性】
【００５１】
本考案は、飛翔害虫忌避用具に関するものであって、飛翔害虫忌避用具を製造あるいは販売する産業において利用可能性がある。
【図面の簡単な説明】
【００５２】
【図１】本考案の飛翔害虫忌避用具の一例を示す透明斜視図である。
【図２】本考案の飛翔害虫忌避用具の使用形態の一例を説明する斜視図である。
【図３】本考案の飛翔害虫忌避用具の一例を示す透明斜視図である。
【図４】本考案の飛翔害虫忌避用具の一例を示す透明斜視図である。
【図５】本考案の飛翔害虫忌避用具の一例を示す透明斜視図である。
【図６】本考案の飛翔害虫忌避用具の一例を示す透明斜視図である。
【図７】本考案の飛翔害虫忌避用具の一例を示す透明斜視図である。
【符号の説明】
【００５３】
１…風車、２…支持軸、２ａ…一端、２ｂ…他端、２ｄ…突起部、３…支持軸支持体、３ａ…支持棒、３ｃ…接合部、４…メッシュ、５…筐体、５ａ…吹き込み孔、５ｂ…排気孔、６…台座、６ａ…一端、６ｂ…他端、７…シューレース通過孔、８…飛翔害虫忌避用具、９…靴、９ａ…つま先、９ｂ…踵、１０…靴紐（シューレース）、１１…靴紐部、１２…リング体、８１、８２、８３、８４、８５…飛翔害虫忌避用具。
【図１】
0003140154.tif 000003
【図２】
0003140154.tif 000004
【図３】
0003140154.tif 000005
【図４】
0003140154.tif 000006
【図５】
0003140154.tif 000007
【図６】
0003140154.tif 000008
【図７】
0003140154.tif 000009